(57)【要約】【課題】  優れた防犯性を発揮することができ、しかも室外からは全面ガラス貼りのような解放感のある外観を得ることができる玄関ドアを提供する。【解決手段】観音開きになった親子ドアからなる玄関ドア１であって、子ドア２は、人が通過できない開口部３０を形成するように矩形に枠組みされた枠体３の室外面３ａにガラス板４が当接され、ガラス板４が、枠体３の室外外周縁に沿って設けられた固定枠５によって固定されてなる。ガラス板４は、このガラス板４を介して透視可能な透明部４２と、透視不可能な不透明部４２とが水平方向に沿って交互に設けられている。上記ガラス板４は、二重ガラスとなされ、それぞれのガラス板４，４に透明部４２と不透明部４１とが形成され、対向するガラス板４，４間の透明部４２，４２同士および不透明部４１，４１同士が互いに上下方向にずれるようになされている。【選択図】  図１
2010090669.tif 000002
【特許請求の範囲】
【請求項１】
観音開きになった親子ドアからなる玄関ドアであって、
子ドアは、開口部を形成するように矩形に枠組みされた枠体の室外面にガラス板が当接され、このガラス板が、枠体の室外外周縁に沿って設けられた固定枠によって開口部よりも大きなガラス面を形成するように固定されてなることを特徴とする玄関ドア。
【請求項２】
ガラス板は、このガラス板を介して透視可能な透明部と、透視不可能な不透明部とが水平方向に沿って交互に設けられた請求項１記載の玄関ドア。
【請求項３】
ガラス板は、二重ガラスとなされ、それぞれのガラス板に透明部と不透明部とが形成され、対向するガラス板間の透明部同士および不透明部同士が互いに上下方向にずれるようになされた請求項２記載の玄関ドア。
【発明の詳細な説明】
【技術分野】
【０００１】
本発明は、観音開きになった親子ドアからなる玄関ドアに関するものである。
【背景技術】
【０００２】
従来より、親ドアおよび子ドアのそれぞれが観音開きに開閉できるようになされた玄関ドアは知られている（例えば、特許文献１参照) 。
【０００３】
このような玄関ドアにおいて、採光を確保するために開口を設けてガラス板を嵌め込むことが行われている。
【特許文献１】特開平９−２２８７５７６号公報
【発明の開示】
【発明が解決しようとする課題】
【０００４】
しかし、子ドアにガラス板を嵌め込んだ場合、子ドアは、親ドアと比較して幅自体が狭いので、スリット状のガラス板を嵌め込むことに限定されることとなり、デザイン的な自由度に欠けることとなる。そのため、子ドアの枠組みを細くしてガラスの開口面を大きくすることが考えられるが、この場合、枠組みの強度を確保することが困難となるため、開閉式の子ドアを構成することができず、固定式に限定されてしまう。また、仮に開閉式の子ドアを構成できたとしても、開口面が大きすぎると、内部を見通されやすくなるので、防犯性に欠けることとなってしまう。
【０００５】
本発明は係る実情に鑑みてなされたものであって、室外からは全面ガラス貼りのような解放感のある外観を得ることができ、しかも優れた防犯性を発揮することができる玄関ドアを提供することを目的としている。
【課題を解決するための手段】
【０００６】
上記課題を解決するための本発明の玄関ドアは、観音開きになった親子ドアからなる玄関ドアであって、子ドアは、開口部を形成するように矩形に枠組みされた枠体の室外面にガラス板が当接され、このガラス板が、枠体の室外外周縁に沿って設けられた固定枠によって開口部よりも大きなガラス面を形成するように固定されてなるものである。
【０００７】
また、上記玄関ドアにおいて、ガラス板は、このガラス板を介して透視可能な透明部と、透視不可能な不透明部とが水平方向に沿って交互に設けられたものである。
【０００８】
また、上記ガラス板は、二重ガラスとなされ、それぞれのガラス板に透明部と不透明部とが形成され、対向するガラス板間の透明部同士および不透明部同士が互いに上下方向にずれるようになされたものである。
【発明の効果】
【０００９】
以上述べたように、本発明によると、枠体の室外面に当接したガラス板を、この枠体の室外外周縁に沿って設けた固定枠によって開口部よりも大きなガラス面を形成するように固定しているので、室外からの子ドアの外観は、固定枠で縁取られた全面ガラス板のように見えることとなり、全面ガラス貼りのような解放感のある外観を得ることができる。
【００１０】
また、ガラス板に透明部と不透明部とを設けた場合は、解放感を確保しながら、室内が見通されるのを防止して優れた防犯性を得ることができる。
【発明を実施するための最良の形態】
【００１１】
以下、本発明の実施の形態を図面を参照して説明する。
【００１２】
図１は玄関ドア１の全体構成の概略を示し、図２および図３は同玄関ドア１の子ドア２を示している。
【００１３】
すなわち、この玄関ドア１は、枠体１１に設けられた親ドア６と子ドア２とが観音開きになっており、子ドア２は、開口部３０を形成するように矩形に枠組みされた枠体３の室外面3 ａにガラス板４が当接され、このガラス板４が、枠体３の室外外周縁に沿って設けられた固定枠５によって固定されてなるものである。
【００１４】
なお、親ドア６は、一般の玄関ドア１に使用されるものと同じものを用いることができる。この親ドア６の大きさについては、特に限定されるものではなく、各種サイズのものを用いることができる。
【００１５】
子ドア２は、親ドア６と同様に枠体１１に対して開閉するように取り付けられている。この取付構造については親ドア６と同様に一般の玄関ドア１に採用されている構造と同じである。
【００１６】
枠体３は、幅約３７０ｍｍ、高さ約２３８０ｍｍの矩形状に枠組みされており、この枠体３には、幅約２０７ｍｍ、高さ約２２０７ｍｍに開口された開口部３０が形成されている。この枠体３の室外面３ａには、略枠体３の大きさに合致する幅約３１９ｍｍ、高さ約２２１９ｍｍの大きさとなされたガラス板４が当接される。
【００１７】
ガラス板４は、図４に示すように、水平方向に沿って幅１０ｍｍの帯状にブラスト処理されて不透明となった不透明部４１が、ブラスト処理されていない幅８ｍｍの帯状の透明部４２と交互に設けられている。また、ガラス板４は、枠体３に当接される部分もブラスト処理されて不透明部４１を形成するようになされている。このガラス板４は、シール材４３を介して間隙を存した状態の二重ガラス構造で設けられる。この状態で、対向するガラス板４，４間の透明部４２，４２同士および不透明部４１，４１同士は、互いに上下方向にずれるようになされている。なお、不透明部４１および透明部４２の幅としては、特に１０ｍｍや８ｍｍに限定されるものではなく、自由に設定することができる。その中だも、４〜２０ｍｍの範囲で適宜決定したものが好適である。また、この４〜２０ｍｍの範囲内であれば、不透明部４１の幅と透明部４２との幅が異なっていてもよい。
【００１８】
固定枠５は、枠体３の室外外周縁に沿って設けられ、ガラス板４，４の外周縁を枠体３側に当接固定することができるようになされている。枠体３の室外面３ａとガラス板４との間、およびガラス板４と固定枠５との間は、それぞれシート状の緩衝材４４を介して固定される。
【００１９】
枠体３の下框３１および上框３２に設けられる固定枠５１，５２は、それぞれ断面略コ字状に形成された基材５１ａ、５２ａと、断面略Ｌ字状に形成された押え材５１ｂ、５２ｂとによって構成されている。この固定枠５１，５２は、基材５１ａ、５１ａを下框３１および上框３２にビス５０で固定した後、ガラス板４，４を配置し、押さえ材５１ｂ、５２ｂでガラス板４を押えた状態で、この押さ材５１ｂ、５２ｂを基材５１ａ、５２ａにビス５０で固定することによって取り付けられる。この際、ビス５０を外されないようにするため、下框３１に設けられる固定枠５１は下側から押さ材５１ｂを基材５１ａにビス５０で固定し、上框３２に設けられる固定枠５２は上側から押さ材５２ｂを基材５２ａにビス５０で固定する。
【００２０】
また、縦框３３に設けられる固定枠５３は、固定面５３ａと押え面５３ｂとを有する階段状に屈曲形成されている。この固定枠５３は、枠体３の室外面３ａにガラス板４を配置し、押さ面５３ａでガラス板４を押えた状態で、固定面５３ａを縦框５３にビス５０で固定することによって固定される。
【００２１】
この固定状態で、固定枠５は、枠体３を構成する下框３１、上框３２および縦框３３の各外周端縁から、枠体３の幅の約半分の約４３ｍｍの幅で設けられる。これにより、枠体３の室外面３ａに当接固定されたガラス板４，４は、枠体３の開口部３０の大きさよりも約４割以上ガラス板４の面が大きくなり、室外からの子ドア２の外観は、固定枠５によって縁取られた全面ガラス板４のように見えることとなり、全面ガラス貼りのような解放感のある外観を得ることができる。また、全面ガラス貼りのように見せているのとは逆に、開口部３０は小さいので、ガラス板４を割られたとしても、この開口部３０から侵入することは出来ず、優れた防犯性を発揮することができる。この開口部３０が本実施の形態よりも大きくなるような子ドア２の場合には、開口部３０に侵入防止の桟（図示省略）などを設けておくことが好ましい。
【００２２】
また、ガラス板４に設けた透明部４２と不透明部４１とは、解放感を確保しながら、室内が見通されるのを防止して優れた防犯性を得ることができる。特に、本願発明では、対向するガラス板４，４間の透明部４２，４２同士および不透明部４１，４１同士は、互いに上下方向にずれるようになされているので、屋外正面からは、全体が不透明４１のガラス板４のように見せて室内が見通されるのを防止しながら採光を確保することができる。
【００２３】
なお、このガラス板４の不透明部４１は、ガラス板４をブラスト処理して構成しているが、特にこのようなブラスト処理による不透明部４１に限定されるものではなく、例えば、光透過率を低下させたフィルムを貼って不透明部４１とするものであっても良いし、塗装により光透過率を低下させて不透明部４１とするものであってもよい。また、不透明部４１は、完全に光を遮断する構成であってもよい。さらに、不透明部４１は、ミラーレンズのように、室外からは室内を見通すことが出来ず、室内からは室外を見通すことができるようになされたものであってもよい。
【００２４】
また、ガラス板４による採光性を確保して解放感を得ることができるのであれば、ガラス板４の全体が上記したような各種の不透明部４１となされたものであってもよい。
【００２５】
さらに、本実施の形態では、ガラス板４は、二枚のガラス板４，４による二重ガラス構造となされているが、一枚のガラス板４による単板ガラス構造であってもよいし、図５に示すように、枠体３の開口部３０に耐熱強化ガラス板４０を設けて防火仕様にした構造であってもよい。
【産業上の利用可能性】
【００２６】
本発明に係る玄関ドアは、住宅建物の玄関に使用される。
【図面の簡単な説明】
【００２７】
【図１】本発明に係る玄関ドアの全体構成の概略を示す正面図である。
【図２】本発明に係る玄関ドアの子ドアを示す部分省略垂直断面図である。
【図３】本発明に係る玄関ドアの子ドアを示す部分省略水平断面図である。
【図４】ガラス板を示す正面図である。
【図５】（ａ）および（ｂ）は、本発明に係る玄関ドアの子ドアの他の実施の形態を示す部分垂直断面図および部分水平断面図である。
【符号の説明】
【００２８】
１  玄関ドア
２  子ドア
３  枠体
３０  開口部
４  ガラス板
４１  不透明部
４２  透明部
５  固定枠
６  親ドア
【図１】
2010090669.tif 000003
【図２】
2010090669.tif 000004
【図３】
2010090669.tif 000005
【図４】
2010090669.tif 000006
【図５】
2010090669.tif 000007